(57)【要約】【課題】  ビニル包装紙が占める面積をそのまま維持しながらもビニル包装紙がもっと多くの体積の物品を包装することができるようにするとともに、ビニル包装紙が占める面積を減らし、よって物品包装機が占める面積を減らしながらも充分に大きな体積の物品を包装することができる物品包装機用ビニル包装紙セットを提供する。【解決手段】  本発明は、複数の中間面の追加及び複数の補助係合孔の追加によってビニル包装紙が占める面積をそのまま維持しながらもビニル包装紙がもっと多くの体積の物品を包装することができるようにするとともに、ビニル包装紙が占める面積を減らし、これによって物品包装機が占める面積を減らしながらも充分に多くの体積の物品を包装することができるようにし、さらに本発明のビニル包装紙は包装紙掛けに支持されるポイントが非常に増加して、ビニル包装紙に投入される物品の重量にもかかわらずビニル包装紙が破れることがほとんどなくなる。【選択図】  図８
2015514046.tif 000002
【特許請求の範囲】
【請求項１】
物品包装機に備えられた包装紙掛けに掛けられるように係合孔が形成されたビニル包装紙セットにおいて：
前記ビニル包装紙セットは上部が開放する複数のビニル包装紙が接着部によって互いに積層されたものであり；
前記ビニル包装紙は、前面と、背面と、前記前面の両側端から後方内側に折り畳まれる形態に形成される一対の第１中間面と、前記背面の両側端から前方内側に折り畳まれる形態に形成され、その内側端が前記第１中間面の内側端と連結される一対の第２中間面とを含んでなり；
前記係合孔は、前記前面に形成される第１係合孔、前記背面に形成される第２係合孔、前記第１中間面に形成される第３係合孔、及び前記第２中間面に形成される第４係合孔に区分されること；を特徴とする、物品包装機用ビニル包装紙セット。
【請求項２】
物品包装機に備えられた包装紙掛けに掛けられるように係合孔が形成されたビニル包装紙セットにおいて：
前記ビニル包装紙セットは上部が開放する複数のビニル包装紙が接着部によって互いに積層されたものであり；
前記ビニル包装紙は、前面と、背面と、前記前面の両側端と前記背面の両側端との間に配置される複数の中間面を含んでなり；
前記複数の中間面は前記前面と前記背面との内で折り畳まれる形態に配置され；
前記係合孔は、前記前面に形成される第１係合孔、前記背面に形成される第２係合孔、及び前記複数の中間面ごとに形成される補助係合孔に区分されること；を特徴とする、物品包装機用ビニル包装紙セット。
【請求項３】
前記係合孔は、垂直係合孔、及び前記垂直係合孔の下部で前記垂直係合孔と直交するように形成され、前記垂直係合孔とともに逆Ｔ字形をなす水平係合孔からなることを特徴とする、請求項１または２に記載の物品包装機用ビニル包装紙セット。
【発明の詳細な説明】
【技術分野】
【０００１】
本発明は多様な物品をビニル包装紙で連続的に自動包装するための汎用物品包装機に使われるビニル包装紙セットに関するものである。
【背景技術】
【０００２】
一般に、ショッピングセンターのカウンターのような所で物品を包装するためには、一枚のビニル包装紙を引き出した後、ビニル袋の入口を開け、ビニル袋の入口が開けられた状態でいちいち物品を入れなければならない問題がある。
【０００３】
このような問題は、ショッピングセンターのような大勢の人々が集まる場所は言うまでもなく、製造工場などでも発生する。
【０００４】
すなわち、同種の物品を適量包装しなければならない場合、作業者がいちいちビニル包装紙を引き出し、ビニル包装紙の入口を開封し、その開封された状態を維持した状態で物品をビニル包装紙にいちいち入れなければならない。
【０００５】
例えば、自動車の部品を製造する製造工場や鶏肉を生産する鶏肉工場などの場合、部品包装や鶏肉包装などにおいて、このような作業過程が手作業で行われている。
【０００６】
このような問題を解決するために、ビニル包装紙を用いた自動物品包装機が提案されたところ、大韓民国登録特許第１０−０７８０２０１号“自動ビニル袋包装機”（２００７年１１月２１日登録）及び大韓民国公開特許第１０−２０１１−００５９０８９号“汎用物品自動包装機”（２０１１年６月２日公開）などが提案されたことがある。
【０００７】
このような物品包装機に使われるビニル包装紙について説明する。
【０００８】
図１は従来の自動物品包装機にビニル包装紙がかけられている状態を平面上で示す図であり、図２は図１のＤ−Ｄ線についての断面図、図３はビニル包装紙セットの斜視図である。
【０００９】
自動物品包装機の内部には通常一対の包装紙掛け２０が備えられ、また自動物品包装機に投入されるビニル包装紙セット１には、包装紙掛け２０に掛けられるように一対の係合孔１１が形成されている。
【００１０】
また、ビニル包装紙セット１は多数枚のビニル包装紙１０が上部中央の接着部１２によって互いに接合されて積層されたもので、接着部１２は一定の外力によって分離されるようにそのサイズ及び接着力が調整されて製造されたものである。
【００１１】
もちろん、それぞれのビニル包装紙１０はいずれも上部が開放する形態であり、さらにそれぞれのビニル包装紙１０には上部両側に係合孔１１が形成されている。
【００１２】
また、それぞれのビニル包装紙１０は前面と背面に区分され、さらに係合孔１１は基本的に円形をなすように形成される。
【００１３】
このような係合孔１１は、ビニル包装紙１０が単に包装紙掛け２０に掛けられている場合は何らの問題とならないが、図１に示したように、ビニル包装紙１０が前方に膨らんで丸い形状に開けられる場合（すなわち、物品を投入することができる状態に変わる場合）、小直径の係合孔１１によってビニル包装紙は一対の包装紙掛け２０間の内側（すなわち、係合孔間の間隔の内側）を基準に円形を成しながら開けられる。もちろん、実際にはビニル包装紙１０の軟性など及び係合孔の直径などによってもっと多く開けられるとかあるいは不十分に開けられることになる。
【００１４】
このように、物品包装機のビニル包装紙はその開けられる直径が基本的に係合孔間の間隔によった。
【００１５】
一方、ショッピングセンターなどに備えられる物品包装機の場合、販売製品ごとに物品包装機が備えられなければならない。
【００１６】
すなわち、ショッピングセンターで１５０種の物品を販売し、１５０種の物品がビニル包装紙でよって包装する場合、物品包装機も１５０台を備えなければならない。
【００１７】
このような場合、物品包装機のサイズは非常に重要な要素となるとともに物品包装機のサイズはビニル包装紙の幅による。
【発明の概要】
【発明が解決しようとする課題】
【００１８】
本発明は前記のような従来技術の問題を解決するために案出されたもので、ビニル包装紙が占める面積をそのまま維持しながらもビニル包装紙がもっと多くの体積の物品を包装することができるようにするとともに、ビニル包装紙が占める面積を減らし、これによって物品包装機が占める面積を減らしながらも充分に大きな体積の物品を包装することができるようにして、物品包装機の普及をなだらかにしようとする。
【課題を解決するための手段】
【００１９】
前記の課題を解決するために、本発明は、物品包装機に備えられた包装紙掛けに掛けられるように係合孔が形成されたビニル包装紙セットにおいて：前記ビニル包装紙セットは上部が開放する複数のビニル包装紙が接着部によって互いに積層されたものであり；前記ビニル包装紙は、前面と、背面と、前記前面の両側端から後方内側に折り畳まれる形態に形成される一対の第１中間面と、前記背面の両側端から前方内側に折り畳まれる形態に形成され、その内側端が前記第１中間面の内側端と連結される一対の第２中間面とを含んでなり；前記係合孔は、前記前面に形成される第１係合孔、前記背面に形成される第２係合孔、前記第１中間面に形成される第３係合孔、及び前記第２中間面に形成される第４係合孔に区分されること；を特徴とする。
【００２０】
本発明の他の思想によれば、物品包装機に備えられた包装紙掛けに掛けられるように係合孔が形成されたビニル包装紙セットにおいて：前記ビニル包装紙セットは上部が開放する複数のビニル包装紙が接着部によって互いに積層されたものであり；前記ビニル包装紙は、前面と、背面と、前記前面の両側端と前記背面の両側端との間に配置される複数の中間面を含んでなり；前記複数の中間面は前記前面と前記背面との内で折り畳まれる形態に配置され；前記係合孔は、前記前面に形成される第１係合孔、前記背面に形成される第２係合孔、及び前記複数の中間面ごとに形成される補助係合孔に区分されること；を特徴とする。
【００２１】
前記において、前記係合孔は、垂直係合孔、及び前記垂直係合孔の下部で前記垂直係合孔と直交するように形成され、前記垂直係合孔とともに逆Ｔ字形をなす水平係合孔からなることができる。
【発明の効果】
【００２２】
前記のように、本発明は、ビニル包装紙が占める面積をそのまま維持しながらもビニル包装紙がもっと多くの体積の物品を包装することができるようにするとともに、ビニル包装紙が占める面積を減らし、これによって物品包装機が占める面積を減らしながらも充分に多くの体積の物品を包装することができるようにし、結果として物品包装機のコンパクト化を達成することができる。
【００２３】
また、本発明のビニル包装紙は、包装紙掛けに支持されるポイントが非常に増加するので、ビニル包装紙に投入される物品の重量が増加してもビニル包装紙が破れることがほとんどなくなる。
【図面の簡単な説明】
【００２４】
【図１】従来の自動物品包装機にビニル包装紙が掛けられている状態を平面上に示す図である。
【図２】図１のＤ−Ｄ線についての断面図である。
【図３】ビニル包装紙セットの斜視図である。
【図４】本発明の一実施例によるビニル包装紙セットの斜視図である。
【図５】図４のビニル包装紙セットの単位ビニル包装紙の斜視図である。
【図６】図４のビニル包装紙セットの単位ビニル包装紙の正面図である。
【図７】図４のビニル包装紙セットが物品包装機に掛けられている状態の概念斜視図である。
【図８】物品包装機にビニル包装紙が掛けられて一部が開けられた状態を平面上に示す図である。
【発明を実施するための形態】
【００２５】
以下、添付図面に基づき、本発明が属する技術分野で通常の知識を持った者が容易に実施することができるように本発明の実施例を詳しく説明する。しかし、本発明はいろいろの相異な形態に具現でき、ここで説明する実施例に限定されない。そして、図面においては、本発明を明らかに説明するために説明に関係ない部分は省略し、明細書全般にわたって類似した部分に対しては類似の図面符号を付与した。
【００２６】
明細書全般にわたり、ある部分がある構成要素を“含む”というとき、これは特に反対の記載がない限り他の構成要素を排除するものではなく、他の構成要素をさらに含むことができることを意味する。
【００２７】
図４は本発明の一実施例によるビニル包装紙セットの斜視図、図５は図４のビニル包装紙セットの単位ビニル包装紙の斜視図、図６は図４のビニル包装紙セットの単位ビニル包装紙の正面図、図７は図４のビニル包装紙セットが物品包装機に掛けられている状態の概念斜視図、図８は物品包装機にビニル包装紙が掛けられて一部が開けられている状態を平面上に示す図である。
【００２８】
本発明のビニルセットＡは多数のビニル包装紙１００が上部中央の接着部１２０によって互いに接合されて積層されたもので、接着部１２０は一定の外力によって分離されるようにそのサイズ及び接着力が調整されて製造されたものである。
【００２９】
この実施例において、接着部１２０は前面１０１の前方側に、かつ背面１０２の後方側にそれぞれ１箇所に形成される。
【００３０】
また、それぞれのビニル包装紙１００は、通常のビニル包装紙と同様に、それぞれのビニル包装紙の上部両側に一対の係合孔１１０が形成されている。また、その係合孔１１０には物品包装機の内部に備えられた包装紙掛け２０が挿入できる。
【００３１】
通常の物品包装機用ビニル包装紙は、前面及び背面のみによって形成されるが、本発明の物品包装機用ビニル包装紙は、前面１０１、背面１０２、第１中間面１０３、及び第２中間面１０４からなる。
【００３２】
すなわち、前面１０１と背面１０２の間に複数の中間面１０３、１０４が備えられる形態である。
【００３３】
第１中間面１０３は、前面１０１の両側端から後方内側に折り畳まれる形態に形成される。また、第１中間面１０３は前面１０１の一側及び他側にそれぞれ備えられるので、一対が備えられる。
【００３４】
第２中間面１０４は、背面１０２の両側端から前方内側に折り畳まれる形態に形成され、その内側端が第１中間面１０３の内側端と連結される形態である。もちろん、第２中間面１０４も背面１０２の一側及び他側にそれぞれ備えられるので、一対が備えられる。
【００３５】
前記のように、複数の中間面１０３、１０４は前面１０１と背面１０２の間で折り畳まれる形態に配置される。
【００３６】
また、実施例によって、複数の中間面は、第１中間面、第２中間面、第３中間面、第４中間面などのように増加することができる。
【００３７】
また、係合孔１１０は、前面１０１に形成される第１係合孔１１１、背面１０２に形成される第２係合孔１１２、第１中間面１０３に形成される第３係合孔１１３、及び第２中間面１０４に形成される第４係合孔１１４に区分できる。
【００３８】
すなわち、それぞれの面に同一形態の係合孔が形成され、特に複数の中間面ごとに形成される係合孔１１３、１１４は補助係合孔ということができる。
【００３９】
2015514046.tif 000003
【００４０】
係合孔１１０の逆Ｔ字形において、垂直方向に形成された部位を垂直係合孔１１０ａといい、水平方向に形成された部位を水平係合孔１１０ｂという。
【００４１】
すなわち、水平係合孔１１０ｂは垂直係合孔１１０ａの下部で垂直係合孔１１０ａと直交するように形成される。
【００４２】
図７に示したように、ビニル包装紙は通常数百枚が一つのビニル包装紙セットを成して包装紙掛け２０に掛けられることになる。この場合、ビニル包装紙１００が包装紙掛け２０に掛けられる部位は係合孔１１０の垂直係合孔１１０ａの上部である。
【００４３】
この際、垂直係合孔１１０ａはビニル包装紙１００の最上端との間隔が水平係合孔１１０ｂに比べて短いが、多数枚のビニル包装紙１００が重なっている状態なので、垂直係合孔１１０ａの上部が破れるとかするおそれはない。また、垂直係合孔１１０ａによってビニル包装紙１００は所定の位置にセットできる。
【００４４】
このような状態で、図８のように、ビニル包装紙１００を引き出せば、引き出されなかったビニル包装紙１００の係合孔１１０の部位は依然として垂直係合孔１１０ａの上部に包装紙掛け２０が挿入されている状態であるが、引き出されて開けられたビニル包装紙１００の係合孔１１０の部位は水平係合孔１１０ｂに包装紙掛け２０が挿入されている状態となる。この際、水平係合孔１１０ｂが垂直方向より水平方向への長さが長い長方形の形態なので、ビニル包装紙１００は係合孔１１０の形状にほとんど制限を受けなくて自然な円形をなすことができる。すなわち、水平係合孔１１０ｂはビニル包装紙１００が円形をなすことを邪魔しなくなり、よってビニル包装紙１００はビニル包装紙１００そのものによって形成可能な最大サイズの円形をなすことができる。
【００４５】
また、水平係合孔１１０ｂは垂直係合孔１１０ａに比べて低い位置に形成されるので、水平係合孔１１０ｂとビニル包装紙１００の上端との間隔は垂直係合孔１１０ａとビニル包装紙１００の上端との間隔より広い間隔を維持することになるので、ビニル包装紙１００を引き出すうちに発生することができる下方への力によってビニル包装紙１００が見苦しく破れることを防止することができる。
【００４６】
特に、図８からは、一つのビニル包装紙１００がなすことができる拡開長を確認することができる。
【００４７】
この際、一つのビニル包装紙１００が最大に開けられた平面上の長さをＬということができる。この際、第１中間面１０３及び第２中間面１０４によって寄与された長さはｄＬということができる。また、本発明のビニル包装紙１００が前面１０１及び背面１０２のみでなっているなら、その長さはＬ−ｄＬに定義することができる。
【００４８】
したがって、第１中間面１０３及び第２中間面１０４の追加によって増加した長さの割合はｄＬ／（Ｌ−ｄＬ）に規定することができ、およそ６０％〜７０％の長さが増加することができることを確認することができる。
【００４９】
結果として、本発明のビニル包装紙１００の使用によって、物品包装機の幅をふやさないながらも約６０〜７０％だけ増えた体積の物品を包装することができることになる。
【００５０】
もちろん、実施例によってこの割合は増加するとか減少することができる。
【００５１】
また、この実施例において、一つのビニル包装紙１００は総８箇所で包装紙掛け２０に支持される形態（従来技術による場合、総４箇所で支持される形態である）である。したがって、ビニル包装紙１００が破れないで耐えることができる力が従来に比べて２倍に増加するので、ビニル包装紙１００に投入される物品の重量が増加してもこれを十分に収容することができる。
【００５２】
前述した本発明の説明は例示のためのもので、本発明が属する技術分野の通常の知識を持った者は本発明の技術的思想や必須な特徴を変更しなくても他の具体的な形態に易しく変形することができることが理解可能であろう。したがって、以上に記述した実施例はすべての面で例示的なものであるだけ、限定的ではないものに理解しなければならない。例えば、単一型に説明されている各構成要素は分散して実施することもでき、これと同様に分散されているものに説明されている構成要素も結合された形態に実施することができる。
【００５３】
本発明の範囲は前記詳細な説明よりは後述する特許請求範囲によって決められ、特許請求範囲の意味及び範囲、そしてその均等な概念から導出されるすべての変更または変形の形態が本発明の範囲に含まれるものに解釈されなければならない。
【図１】
2015514046.tif 000004
【図２】
2015514046.tif 000005
【図３】
2015514046.tif 000006
【図４】
2015514046.tif 000007
【図５】
2015514046.tif 000008
【図６】
2015514046.tif 000009
【図７】
2015514046.tif 000010
【図８】
2015514046.tif 000011
【国際調査報告】
2015514046.tif 000012
2015514046.tif 000013
2015514046.tif 000014
2015514046.tif 000015